(57)【要約】      （修正有）【課題】暖房機能を有するコンパクトな照明装置を提供する。【解決手段】照明装置１は、空気を送風する送風部３と、温風を発生させるための発熱部４と、光を発光する発光部５と、送風部、発熱部及び発光部を収容すると共に外部形状を構成する筐体部６と、を備え、筐体部は、送風部で空気を吸気するための吸気口部と、送風部で吸気した空気を外部に送風するための送風口部６４と、を備え、吸気口部は、筐体部の側面部に配置され、送風口部は、筐体部の下面部に配置され、送風部は、遠心送風機である。【選択図】図５
0003231389.tif 000002
【実用新案登録請求の範囲】
【請求項１】
空気を送風する送風部と、温風を発生させるための発熱部と、光を発光する発光部と、前記送風部、前記発熱部及び前記発光部を収容すると共に外部形状を構成する筐体部と、を備え、
前記筐体部は、前記送風部で空気を吸気するための吸気口部と、前記送風部で吸気した空気を外部に送風するための送風口部と、を備え、
前記吸気口部は、前記筐体部の側面部に配置され、
前記送風口部は、前記筐体部の下面部に配置され、
前記送風部は、遠心送風機である、照明装置。
【請求項２】
前記送風部から前記送風口部までの送風通路を形成する送風通路部を備え、
前記発光部は、前記送風通路部又は前記送風口部の周囲に配置されている、請求項１に記載の照明装置。
【請求項３】
前記送風口部は、前記筐体部の下面部の中心から偏心した位置に配置されている、請求項２に記載の照明装置。
【請求項４】
前記発光部を覆う透光性のランプカバーを備え、
前記ランプカバーは、前記筐体部の下面部に配置されると共に前記送風口部を囲うように形成されている、請求項２又は３に記載の照明装置。
【請求項５】
天井に設けられた被接続部に接続するための接続部を備え、
前記筐体部は、前記接続部に向けて幅狭に形成されている、請求項１〜４の何れか１項に記載の照明装置。
【考案の詳細な説明】
【技術分野】
【０００１】
本出願は、照明装置に関する。
【背景技術】
【０００２】
従来、照明装置としては、空気を送風する送風部と、温風を発生させるための発熱部と、光を発光する発光部と、各部が取り付けられる筐体部と、を備える、暖房機能を有する照明装置が知られている（例えば、特許文献１）。しかしながら、照明装置に暖房機能を加えると、照明装置が大型化するという問題があった。
【先行技術文献】
【特許文献】
【０００３】
【特許文献１】特開２００４−１９３０９８号公報
【考案の概要】
【考案が解決しようとする課題】
【０００４】
そこで、課題は、暖房機能を有するコンパクトな照明装置を提供することである。
【課題を解決するための手段】
【０００５】
照明装置は、空気を送風する送風部と、温風を発生させるための発熱部と、光を発光する発光部と、前記送風部、前記発熱部及び前記発光部を収容すると共に外部形状を構成する筐体部と、を備え、前記筐体部は、前記送風部で空気を吸気するための吸気口部と、前記送風部で吸気した空気を外部に送風するための送風口部と、を備え、前記吸気口部は、前記筐体部の側面部に配置され、前記送風口部は、前記筐体部の下面部に配置され、前記送風部は、遠心送風機である。
【０００６】
斯かる構成によれば、送風部を遠心送風機とすることにより、送風部を小さくすることができる。これにより、送風部を収容する筐体部を小さくすることができ、暖房機能を有する照明装置１をコンパクトにすることができる。
【図面の簡単な説明】
【０００７】
【図１】図１は、一実施形態に係る照明装置の斜視図である。
【図２】図２は、同実施形態に係る照明装置の正面図である。
【図３】図３は、同実施形態に係る照明装置の右側面図である。
【図４】図４は、同実施形態に係る照明装置の下面図である。
【図５】図５は、図２のＶ−Ｖ線拡大断面図である。
【図６】図６は、図３のVI−VI線拡大断面図である。
【図７】図７は、同実施形態に係る照明装置を照明器具に取り付けた状態を示す図である。
【考案を実施するための形態】
【０００８】
以下、照明装置における一実施形態について、図１〜図７を参照しながら説明する。なお、各図において、図面の寸法比と実際の寸法比とは、必ずしも一致しておらず、また、各図面間での寸法比も、必ずしも一致していない。
【０００９】
図１〜図７に示すように、照明装置１は、天井Ｘ１に取り付けられた照明器具Ｘ２に接続するための接続部２と、空気を送風する送風部３と、温風を発生させるための発熱部４と、光を発光する発光部５と、照明装置１の外部形状を構成すると共に内部に空間を有する筐体部６と、各部（後述する操作部を除く）を支持する支持部７と、送風部３、発熱部４及び発光部５を制御する制御部８と、制御部８に操作信号を送信するための不図示の操作部と、を備える。なお、照明装置１は、例えば、支持部７を備えず、筐体部６が各部を支持するという、構成であってもよい。
【００１０】
図７に示すように、照明器具Ｘ２は、トイレ、浴室、台所、リビング等、種々の用途の部屋の天井Ｘ１に設けられている。本実施形態に係る照明器具Ｘ２は、例えば、いわゆるダウンライト用照明器具であり、天井Ｘ１に埋め込まれている。なお、照明器具Ｘ２は、例えば、天井Ｘ１に配置される配線ダクトなどであってもよい。
【００１１】
そして、照明器具Ｘ２は、接続部２を接続するための被接続部Ｘ２１を備える。なお、照明器具Ｘ２は、例えば、被接続部Ｘ２１のみで構成され、被接続部Ｘ２１は天井Ｘ１に直接取り付けられる、という構成であってもよい。
【００１２】
本実施形態に係る被接続部Ｘ２１は、エジソン型のソケット（例えば、Ｅ２６型）であり、被接続部Ｘ２１に接続部２を接続することによって、照明装置１は、照明器具Ｘ２に保持されると共に電気的に接続される。なお、被接続部Ｘ２１は、例えば、引掛シーリングボディなどであってもよい。
【００１３】
図１〜図７に示すように、接続部２は、支持部７の上部によって支持され、筐体部６の外側に突出して配置されている。本実施形態に係る接続部２としては、エジソン型のソケットである被接続部Ｘ２１に対応した雄ねじ状のプラグが用いられている。なお、接続部２としては、例えば、引掛シーリングキャップなどを用いてもよい。
【００１４】
筐体部６は、送風部３、発熱部４、発光部５、支持部７及び制御部８を覆っており、接続部２に向けて幅狭に形成されている。斯かる構成によれば、筐体部６が接続部２に向けて幅狭に形成されていることにより、被接続部Ｘ２１に向けて幅狭形状に形成されている照明器具Ｘ２（ダウンライト用照明器具）に接続することができる。
【００１５】
本実施形態に係る筐体部６は、正面視において略Ｔ字形状に形成され、側面視において略三角形状に形成されている。なお、筐体部６は、例えば、略円筒形状に形成されていてもよい。
【００１６】
また、筐体部６は、筐体部６の右側面部に配置される第１筐体側部６１と、筐体部６の左側面部に配置される第２筐体側部６２と、筐体部６の下面部に配置される筐体下部６３と、を備える。
【００１７】
図３及び図６に示すように、第１筐体側部６１は、送風部３で空気を吸気するための吸気口６１１ａを有する第１筐体側部本体６１１と、吸気口６１１ａを覆うように配置される吸気口カバー６１２と、送風部３が埃などを吸い込むことを防止するための吸気口フィルター６１３と、を備える。
【００１８】
吸気口６１１ａは、第１筐体側部本体６１１の上側に設けられた開口である。本実施形態に係る吸気口６１１ａは、網目状に形成されているが、斯かる形状に限定されない。なお、吸気口６１１ａは、例えば、第２筐体側部６２に配置されていてもよく、第１筐体側部６１及び第２筐体側部６２の両方に配置されていてもよい。
【００１９】
吸気口カバー６１２は、網目状に形成され、第１筐体側部本体６１１に脱着可能に取り付けられている。そして、吸気口フィルター６１３は、第１筐体側部本体６１１と吸気口カバー６１２との間に配置されている。これにより、吸気口カバー６１２及び吸気口フィルター６１３を第１筐体側部本体６１１から容易に取り外すことができ、吸気口カバー６１２及び吸気口フィルター６１３の清掃が容易となる。
【００２０】
図４及び図５に示すように、筐体下部６３は、吸気された空気を筐体部６の外部に送風するための送風口部６４を備える。送風口部６４は、筐体下部６３の中心から偏心した位置に配置されている。そして、送風口６４１と、送風口６４１を覆うように配置される送風口カバー６４２と、送風方向を調整するための調整部６４３と、を備える。送風口カバー６４２は、前後方向に延びる格子状に形成されている。
【００２１】
調整部６４３は、送風方向を調整するための複数の調整板６４３ａと、複数の調整板６４３ａが同じ方向を向くように連結する連結部６４３ｂと、を備える。調整板６４３ａは、左右方向に延びる板状に形成され、前後方向に整列して配置されている。そして、調整板６４３ａは、送風口カバー６４２に回動可能に取り付けられている。
【００２２】
連結部６４３ｂは、前後方向に延びる略棒形状に形成され、複数の調整板６４３ａを回動可能に連結している。斯かる構成によれば、連結部６４３ｂによって連結された調整板６４３ａを回転させることにより、複数の調整板６４３ａの向きを変えることができ、送風部３による送風向きを変えることができる。
【００２３】
図５及び図６に示すように、送風部３は、支持部７に支持され、送風部３の吸気方向側に吸気口６１１ａが位置すると共に送風部３の送風方向側に送風口６４１が位置するように筐体部６の内部に配置されている。送風部３としては、遠心送風機を用いることができる。斯かる構成によれば、送風部３を遠心送風機とすることにより、送風部３を小さくすることができる。これにより、送風部３を収容する筐体部６を小さくすることができ、照明装置１をコンパクトにすることができる。
【００２４】
本実施形態に係る送風部３は、シロッコファンであるが、例えば、ターボファンであってもよい。送風部３は、送風部３の内部にインペラ部３１を備え、インペラ部３１が左右方向を軸として回転することにより、吸気口６１１ａから空気を吸気し、吸気した空気を送風口６４１から送風する。
【００２５】
また、送風部３は、インペラ部３１を覆うように配置される送風カバー３２を備える。送風カバー３２は、インペラ部３１の右側に配置される第１送風カバー３２１と、インペラ部３１の左側に配置される第２送風カバー３２２と、を備える。本実施形態に係る第１送風カバー３２１は、支持部７と一体に形成されているが、支持部７と別体であってもよい。
【００２６】
支持部７は、送風部３から送風口部６４までの送風通路を形成する送風通路部７１を備える。そして、送風通路部７１の内部には、発熱部４が配置されている。発熱部４は、発熱体４１と、発熱体４１の熱が送風通路部７１に伝わることを防止する遮熱板４２と、を備える。本実施形態に係る発熱体４１は、下面視において十字状に形成された発熱プレート４１ａと、発熱プレート４１ａの周囲に巻き付けられた不図示のニクロム線と、で構成されているが、斯かる構成に限られない。
【００２７】
発光部５は、支持部７の下部で支持され、送風口部６４の周囲に配置されている。斯かる構成によれば、発光部５を送風口部６４の周囲に配置することにより、発光部５の配置スペースを小さくすることができる。これにより、筐体部６を小さくすることができ、照明装置１をコンパクトにすることができる。なお、発光部５は、例えば、送風通路部７１の周囲などに配置されていてもよい。
【００２８】
本実施形態に係る発光部５は、複数のＬＥＤ（不図示）と、複数のＬＥＤが配置されたＬＥＤ基板５１と、を備える。そして、ＬＥＤ基板５１は、送風口部６４を囲うように略Ｃ形状に形成されている。なお、発光部５は、例えば、複数のＬＥＤ基板で構成されていてもよい。また、発光部５としては、例えば、ＥＬランプなどを用いてもよい。
【００２９】
筐体下部６３は、発光部５を覆う透光性のランプカバー６５を備える。本実施形態に係るランプカバー６５は、送風口部６４を囲うように略Ｃ形状に形成されている。なお、ランプカバー６５は、例えば、第１筐体側部６１や第２筐体側部６２などにも配置されていてもよい。
【００３０】
制御部８は、支持部７の下部で支持されている。そして、制御部８は、送風部３、発熱部４及び発光部５を制御する制御基板８１と、操作部からの操作信号を受信する信号受信部８２と、を備える。操作部の操作によって送信された操作信号を信号受信部８２が受信することにより、送風部３、発熱部４及び発光部５のＯＮ・ＯＦＦや強さの調整を行うことができる。
【００３１】
発熱部４をＯＮにして送風部３で送風することにより、温風を発生させることができ、使用者は、照明装置１を暖房器具として使用することができる。そして、発熱部４をＯＦＦにして送風部３で送風することにより、使用者は照明装置１を送風器具として使用することができる。
【００３２】
本実施形態に係る操作部は、リモコンであるが、例えば、照明装置１が取り付けられる部屋の壁に設けられたスイッチなどであってもよい。
【００３３】
以上より、本実施形態のように、照明装置１は、空気を送風する送風部３と、温風を発生させるための発熱部４と、光を発光する発光部５と、送風部３、発熱部４及び発光部５を収容すると共に外部形状を構成する筐体部６と、を備え、筐体部６は、送風部３で空気を吸気するための吸気口部（第１筐体側部６１）と、送風部３で吸気した空気を外部に送風するための送風口部６４と、を備え、吸気口部（第１筐体側部６１）は、筐体部６の側面部に配置され、送風口部６４は、筐体部６の下面部に配置され、送風部３は、遠心送風機である、という構成が好ましい。
【００３４】
斯かる構成によれば、送風部３を遠心送風機とすることにより、送風部３を小さくすることができる。これにより、送風部３を収容する筐体部６を小さくすることができ、暖房機能を有する照明装置１をコンパクトにすることができる。
【００３５】
また、本実施形態のように、照明装置１は、送風部３から送風口部６４までの送風通路を形成する送風通路部７１を備え、発光部５は、送風通路部７１又は送風口部６４の周囲に配置されている、という構成が好ましい。
【００３６】
斯かる構成によれば、発光部５を送風通路部７１又は送風口部６４の周囲に配置することにより、発光部５の配置スペースを小さくすることができる。これにより、筐体部６を小さくすることができ、暖房機能を有する照明装置１をコンパクトにすることができる。
【００３７】
また、本実施形態のように、照明装置１において、送風口部６４は、筐体部６の下面部（筐体下部６３）の中心から偏心した位置に配置されている、という構成が好ましい。
【００３８】
斯かる構成によれば、筐体部６の下面部（筐体下部６３）の中心から偏心した位置に送風口部６４を配置することにより、送風部３（遠心送風機）の送風方向を下方向となるように送風部３を配置した場合でも、側面視において、インペラ部３１（吸気口６１１ａ）の中心を筐体部６の前後方向の中心に近づけることができる。
【００３９】
また、本実施形態のように、照明装置１は、発光部５を覆う透光性のランプカバー６５を備え、ランプカバー６５は、筐体部６の下面部（筐体下部６３）に配置されると共に送風口部６４を囲うように形成されている、という構成が好ましい。
【００４０】
斯かる構成によれば、筐体部６の下面部（筐体下部６３）において、送風口部６４のスペースを確保しつつ発光部５を覆うランプカバー６５を配置することができる。
【００４１】
また、本実施形態のように、照明装置１は、天井Ｘ１に設けられた被接続部Ｘ２１に接続するための接続部２を備え、筐体部６は、接続部２に向けて幅狭に形成されている、という構成が好ましい。
【００４２】
斯かる構成によれば、筐体部６が接続部２に向けて幅狭に形成されていることにより、被接続部Ｘ２１に向けて幅狭形状に形成されている照明器具Ｘ２（ダウンライト用照明器具）に照明装置１を接続することができる。
【００４３】
なお、照明装置１は、上記した実施形態の構成に限定されるものではなく、また、上記した作用効果に限定されるものではない。また、照明装置１は、本出願の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４４】
本実施形態に係る筐体下部６３において、送風口部６４は、筐体下部６３の前部に配置され、ランプカバー６５は、送風口部６４を囲うように略Ｃ形状に形成されている、という構成である。しかしながら、筐体下部６３は、斯かる構成に限られない。例えば、筐体下部６３において、送風口部６４は、筐体下部６３の中央部に配置され、ランプカバー６５は、送風口部６４を囲うように略Ｏ形状に形成されている、という構成であってもよい。
【符号の説明】
【００４５】
１…照明装置、２…接続部、３…送風部、３１…インペラ部、３２…送風カバー、３２１…第１送風カバー、３２２…第２送風カバー、４…発熱部、４１…発熱体４１ａ…発熱プレート、４２…遮熱板、５…発光部、５１…ＬＥＤ基板、６…筐体部、６１…第１筐体側部、６１１…第１筐体側部本体、６１１ａ…吸気口、６１２…吸気口カバー、６１３…吸気口フィルター、６２…第２筐体側部、６３…筐体下部、６４…送風口部、６４１…送風口、６４２…送風口カバー、６４３…調整部、６４３ａ…調整板、６４３ｂ…連結部、６５…ランプカバー、７…支持部、７１…送風通路部、８…制御部、８１…制御基板、８２…信号受信部、Ｘ１…天井、Ｘ２…照明器具、Ｘ２１…被接続部
【図１】
0003231389.tif 000003
【図２】
0003231389.tif 000004
【図３】
0003231389.tif 000005
【図４】
0003231389.tif 000006
【図５】
0003231389.tif 000007
【図６】
0003231389.tif 000008
【図７】
0003231389.tif 000009